(57)【要約】【課題】  膝関節置換術実施中に用いられる人工膝関節を提供する。【解決手段】  この人工膝関節は、多様なサイズの範囲の複数のステムコンポーネント、多様なサイズの範囲の複数の大腿骨コンポーネント、及び多様なサイズの範囲の複数の脛骨トレイを含む。ステムコンポーネントの各々は大腿骨コンポーネント及び脛骨（tibal）トレイの各々と適合性を持つ。ステムコンポーネントの幾つかは内部に単一スロットが形成され、その他のステムコンポーネントは内部に一対のスロットが形成される。【選択図】  図１
2014176692.tif 000002
【特許請求の範囲】
【請求項１】
インプラント可能な整形外科用人工膝関節アセンブリであって、
患者の膝関節を形成する長骨の末端にインプラントされるように構成され、内部にテーパー状穴が形成された人工膝コンポーネント、並びに
第１の複数のステムコンポーネントであって、各々が（ｉ）前記人工膝コンポーネントの前記テーパー状穴に単独で収容されるように構成されたテーパー状ポスト、（ｉｉ）前記テーパー状ポストから遠ざかるように延びて遠位先端で終端し、かつ内部に多数の縦溝が形成された細長いボディ、（ｉｉｉ）前記第１の複数のステムコンポーネントのその他の各々と等しい、ポストテーパー角及びポスト直径、並びに（ｉｖ）前記細長いボディ内に形成され、前記遠位先端から前記テーパー状ポストに向けて延びる単一スロットを有する、第１の複数のステムコンポーネント、並びに
第２の複数のステムコンポーネントであって、各々が、（ｉ）前記人工膝コンポーネントの前記テーパー状穴に単独で収容されるように構成されたテーパー状ポスト、（ｉｉ）前記テーパー状ポストから遠ざかるように延びて遠位先端で終端し、内部に多数の縦溝が形成された細長いボディ、（ｉｉｉ）前記第２の複数のステムコンポーネントのその他及び前記第１の複数のステムコンポーネントの各々と等しい、ポストテーパー角及びポスト直径、並びに（ｉｖ）前記細長いボディ内に形成され、前記遠位先端から前記テーパー状ポストに向けて延び、かつ互いに垂直に配置された一対のスロットを有する、第２の複数のステムコンポーネントを備える、インプラント可能な整形外科用人工膝関節アセンブリ。
【請求項２】
前記第２の複数のステムコンポーネントの各々が、前記第１の複数のステムコンポーネントの各々よりも大きなボディ直径を有する、請求項１に記載のインプラント可能な整形外科用人工膝関節アセンブリ。
【請求項３】
前記人工膝コンポーネントが、前記患者の脛骨の近位端にインプラントされるように構成された脛骨トレイを含み、
前記脛骨トレイが、プラットフォームを含み、前記プラットフォームが、前記プラットフォームの下面から下方向に延びるステムポストを備え、
前記テーパー状穴が前記ステムポスト内に形成される、請求項１に記載のインプラント可能な整形外科用人工膝関節アセンブリ。
【請求項４】
前記人工膝コンポーネントが、前記患者の大腿骨の遠位端にインプラントされるように構成された大腿骨コンポーネントを含み、
前記大腿骨コンポーネントが、（ｉ）内側顆表面及び外側顆表面を備える軸受表面、（ｉｉ）前記軸受表面の反対側の裏側表面、並びに（ｉｉｉ）前記裏側表面から遠ざかるように上方向に延びるステムポストを含み、
前記テーパー状穴が前記ステムポスト内に形成される、請求項１に記載のインプラント可能な整形外科用人工膝関節アセンブリ。
【請求項５】
前記人工膝コンポーネントが、脛骨トレイに固定され、かつ前記患者の脛骨の近位端にインプラントされるように構成されたステムアダプタを備え、
前記テーパー状穴が前記ステムアダプタの下端内に形成される、請求項１に記載のインプラント可能な整形外科用人工膝関節アセンブリ。
【請求項６】
前記人工膝コンポーネントが、大腿骨コンポーネントに固定され、かつ前記患者の大腿骨の遠位端にインプラントされるように構成された大腿骨スリーブコンポーネントを備え、
前記テーパー状穴が前記大腿骨スリーブコンポーネントの上端内に形成される、請求項１に記載のインプラント可能な整形外科用人工膝関節アセンブリ。
【請求項７】
前記人工膝コンポーネントが、脛骨トレイに固定され、かつ前記患者の脛骨の近位端にインプラントされるように構成された脛骨スリーブコンポーネントを備え、
前記テーパー状穴が前記脛骨スリーブコンポーネントの下端内に形成される、請求項１に記載のインプラント可能な整形外科用人工膝関節アセンブリ。
【請求項８】
前記第１の複数のステムコンポーネントの各々の、前記縦溝及び前記単一スロットの両方の縦軸が上位／下位方向に延びる、請求項１に記載のインプラント可能な整形外科用人工膝関節アセンブリ。
【請求項９】
前記第２の複数のステムコンポーネントの各々の、前記縦溝及び前記一対のスロットの各々の両方の縦軸が上位／下位方向に延びる、請求項１に記載のインプラント可能な整形外科用人工膝関節アセンブリ。
【請求項１０】
インプラント可能な整形外科用人工膝関節アセンブリであって、
患者の膝関節を形成する長骨の髄内管にインプラントされるように構成された第１の膝ステムコンポーネントであって、（ｉ）人工膝コンポーネントのテーパー状穴に単独で収容されるように構成され、第１のポストテーパー角及び第１のポスト直径を有するテーパー状ポスト、並びに（ｉｉ）前記テーパー状ポストから遠ざかるように延びて遠位先端で終端し、内部に前記遠位先端から前記テーパー状ポストに向けて延びた多数の縦溝及び単一スロットが形成される細長いボディを備える、第１の膝ステムコンポーネント、並びに
前記患者の前記膝関節を形成する前記長骨の前記髄内管にインプラントされるように構成された第２の膝ステムコンポーネントであって、（ｉ）前記人工膝コンポーネントのテーパー状穴に単独で収容されるように構成され、前記第１のポストテーパー角と等しい第２のポストテーパー角及び前記第１のポスト直径と等しい第２のポスト直径を有するテーパー状ポスト、並びに（ｉｉ）前記テーパー状ポストから遠ざかるように延びて遠位先端で終端し、内部に前記遠位先端から前記テーパー状ポストに向けて延びる多数の縦溝及び一対のスロットが形成され、前記一対のスロットが互いに垂直に配置された、細長いボディを備える、第２の膝ステムコンポーネントを備える、インプラント可能な整形外科用人工膝関節アセンブリ。
【請求項１１】
前記第２の膝ステムコンポーネントが前記第１の膝ステムコンポーネントより大きなボディ直径を有する、請求項１０に記載のインプラント可能な整形外科用人工膝関節アセンブリ。
【請求項１２】
前記第１の膝ステムコンポーネントの前記テーパー状ポスト及び前記第２の膝ステムコンポーネントの前記テーパー状ポストの両方が、脛骨トレイのテーパー状穴に単独で収容されるように構成される、請求項１０に記載のインプラント可能な整形外科用人工膝関節アセンブリ。
【請求項１３】
前記第１の膝ステムコンポーネントの前記テーパー状ポスト及び前記第２の膝ステムコンポーネントの前記テーパー状ポストの両方が、大腿骨コンポーネントのテーパー状穴に単独で収容されるように構成される、請求項１０に記載のインプラント可能な整形外科用人工膝関節アセンブリ。
【請求項１４】
前記第１の膝ステムコンポーネントの前記テーパー状ポスト及び前記第２の膝ステムコンポーネントの前記テーパー状ポストの両方が、スリーブコンポーネントのテーパー状穴に単独で収容されるように構成される、請求項１０に記載のインプラント可能な整形外科用人工膝関節アセンブリ。
【請求項１５】
前記第１の膝ステムコンポーネントの前記テーパー状ポスト及び前記第２の膝ステムコンポーネントの前記テーパー状ポストの両方が、ステムアダプタのテーパー状穴に単独で収容されるように構成される、請求項１０に記載のインプラント可能な整形外科用人工膝関節アセンブリ。
【請求項１６】
前記第１の膝ステムコンポーネントの前記縦溝及び前記単一スロットの両方の縦軸が上位／下位方向に延びる、請求項１０に記載のインプラント可能な整形外科用人工膝関節アセンブリ。
【請求項１７】
前記第２の膝ステムコンポーネントの前記縦溝及び前記一対のスロットの各々の両方の縦軸が上位／下位方向に延びる、請求項１０に記載のインプラント可能な整形外科用人工膝関節アセンブリ。
【請求項１８】
インプラント可能な整形外科用人工膝関節アセンブリであって、
患者の脛骨の近位端にインプラントされるように構成され、プラットフォームを含む脛骨トレイであって、前記プラットフォームが、前記プラットフォームの下面から下方向に延びて内部にテーパー状穴が形成されたステムポストを備える、脛骨トレイ、
前記患者の大腿骨の遠位端にインプラントされるように構成された大腿骨コンポーネントであって、（ｉ）内側顆表面及び外側顆表面を有する軸受表面、（ｉｉ）前記軸受表面の反対側の裏側表面、及び（ｉｉｉ）前記裏側表面から遠ざかるように上方向に延びて内部にテーパー状穴が形成されたステムポストを含む、大腿骨コンポーネント、
第１の複数のステムコンポーネントであって、各々が（ｉ）前記脛骨トレイの前記テーパー状穴及び前記大腿骨コンポーネントの前記テーパー状穴に単独で収容されるように構成されたテーパー状ポスト、（ｉｉ）前記テーパー状ポストから遠ざかるように延びて遠位先端で終端し、かつ内部に多数の縦溝が形成される細長いボディ、（ｉｉｉ）前記第１の複数のステムコンポーネントのその他の各々と等しい、ポストテーパー角及びポスト直径、並びに（ｉｖ）前記細長いボディ内に形成され、前記遠位先端から前記テーパー状ポストに向けて延びる単一スロットを有する、第１の複数のステムコンポーネント、並びに
第２の複数のステムコンポーネントであって、各々が（ｉ）前記脛骨トレイの前記テーパー状穴及び前記大腿骨コンポーネントの前記テーパー状穴に単独で収容されるように構成されたテーパー状ポスト、（ｉｉ）前記テーパー状ポストから遠ざかるように延びて遠位先端で終端し、かつ内部に多数の縦溝が形成される細長いボディ、（ｉｉｉ）前記第２の複数のステムコンポーネントのその他及び前記第１の複数のステムコンポーネントの各々と等しい、ポストテーパー角及びポスト直径、並びに（ｉｖ）前記細長いボディ内に形成され、前記遠位先端から前記テーパー状ポストに向けて延び、かつ互いに垂直に配置された一対のスロットを有する、第２の複数のステムコンポーネントを含む、インプラント可能な整形外科用人工膝関節アセンブリ。
【請求項１９】
前記第２の複数のステムコンポーネントの各々が、前記第１の複数のステムコンポーネントの各々よりも大きなボディ直径を有する、請求項１８に記載のインプラント可能な整形外科用人工膝関節アセンブリ。
【請求項２０】
前記第１の複数のステムコンポーネントの各々の前記縦溝及び前記単一スロットの両方の縦軸が上位／下位方向に延びる、請求項１８に記載のインプラント可能な整形外科用人工膝関節アセンブリ。
【請求項２１】
前記第２の複数のステムコンポーネントの各々の、前記縦溝及び前記一対のスロットの各々の両方の縦軸が上位／下位方向に延びる、請求項１８に記載のインプラント可能な整形外科用人工膝関節アセンブリ。
【請求項２２】
前記脛骨トレイに固定され、かつ前記患者の前記脛骨の前記近位端にインプラントされるように構成されたステムアダプタを更に含み、
前記ステムアダプタの下端内にテーパー状穴が形成され、
前記第１の複数のステムコンポーネント及び前記第２の複数のステムコンポーネントの各々の前記テーパー状ポストが前記ステムアダプタの前記テーパー状穴に単独で収容されるように構成される、請求項１８に記載のインプラント可能な整形外科用人工膝関節アセンブリ。
【請求項２３】
前記大腿骨コンポーネントに固定され、かつ前記患者の前記大腿骨の前記遠位端にインプラントされるように構成された大腿骨スリーブコンポーネントを更に含み、
テーパー状穴が前記大腿骨スリーブコンポーネントの上端内に形成され、
前記第１の複数のステムコンポーネント及び前記第２の複数のステムコンポーネントの各々の前記テーパー状ポストが、前記大腿骨スリーブコンポーネントの前記テーパー状穴に単独で収容されるように構成される、請求項１８に記載のインプラント可能な整形外科用人工膝関節アセンブリ。
【請求項２４】
前記脛骨トレイに固定され、かつ前記患者の前記脛骨の前記近位端にインプラントされるように構成された脛骨スリーブコンポーネントを更に含み、
テーパー状穴が前記脛骨スリーブコンポーネントの下端内に形成され、
前記第１の複数のステムコンポーネント及び前記第２の複数のステムコンポーネントの各々の前記テーパー状ポストが、前記脛骨スリーブコンポーネントの前記テーパー状穴に単独で収容されるように構成される、請求項１８に記載のインプラント可能な整形外科用人工膝関節アセンブリ。
【発明の詳細な説明】
【技術分野】
【０００１】
本開示は、概して、インプラント可能な整形外科的人工補綴物、より具体的には、インプラント可能な人工膝関節に関する。
【背景技術】
【０００２】
患者の一生の間において、例えば疾患又は外傷の結果として患者に関節置換術を行う必要が生じ得る。関節置換術では人工補綴物が使用される場合があり、これを患者の骨の一つ以上にインプラントする。膝置換手術の場合、脛骨トレイが患者の脛骨にインプラントされる。軸受は脛骨トレイに固定される。代替大腿骨コンポーネントの顆表面は脛骨軸受を支える。
【０００３】
こうした人工膝関節は、患者の脛骨及び／又は大腿骨にインプラントされる多数の細長い骨髄内ステムコンポーネントも含んでよい。患者の脛骨及び／又は大腿骨にステムコンポーネントを固定するため、はじめに患者の脛骨及び／又は大腿骨の髄内管を、続いてステムコンポーネントをインプラントできるように、外科的に前処理（例えばリーマ仕上げ）する。幾つかの構造では、ステムコンポーネントはセメントレス固定法を用いて患者の骨内にインプラントされる。こうした構造の１種は、「プレスフィット」ステムコンポーネントとして知られる。
【発明の概要】
【課題を解決するための手段】
【０００４】
一態様では、インプラント可能な整形外科用人工膝関節アセンブリは、患者の膝関節を形成する長骨の末端にインプラントされるように構成された人工膝コンポーネントを含む。内部にテーパー状穴が形成される人工膝コンポーネントである。インプラント可能な整形外科用人工膝関節アセンブリは第１の複数のステムコンポーネントも含み、第１の複数のステムコンポーネントの各々は、人工膝コンポーネントのテーパー状穴に単独で収容されるように構成されたテーパー状ポスト、及びテーパー状ポストから遠ざかるように延びて遠位先端で終端する細長いボディを有する。細長いボディ内には多数の縦溝が形成される。第１の複数のステムコンポーネントの各々において、ポストテーパー角及びポスト直径は等しい。第１の複数のステムコンポーネントの各々は、遠位先端からテーパー状ポストに向けて延びる細長いボディ内に単一スロットが形成される。インプラント可能な整形外科用人工膝関節アセンブリは第２の複数のステムコンポーネントを更に含み、第２の複数のステムコンポーネントの各々は、人工膝コンポーネントのテーパー状穴に単独で収容されるように構成されたテーパー状ポスト、及びテーパー状ポストから遠ざかるように延びて遠位先端で終端する細長いボディを有する。細長いボディ内には多数の縦溝が形成される。第２の複数のステムコンポーネントの各々の、ポストテーパー角及びポスト直径は、第２の複数のステムコンポーネントのその他の及び第１の複数のステムコンポーネントの各々と等しい。一対のスロットが第２の複数のステムコンポーネントの各々の細長いボディ内に形成され、遠位先端からテーパー状ポストに向けて延びる。一対のスロットは互いに垂直に配置される。
【０００５】
第２の複数のステムコンポーネントは、第１の複数のステムコンポーネントの各々よりも大きなボディ直径を有してよい。
【０００６】
人工膝コンポーネントは、患者の脛骨の近位端にインプラントされるように構成された脛骨トレイとして形成されてよい。脛骨トレイは、プラットフォームの下面から下方向に延びるステムポストを備えたプラットフォームを含み、ステムポスト内にはテーパー状穴が形成される。
【０００７】
人工膝コンポーネントは、患者の大腿骨の遠位端にインプラントされるように構成された大腿骨コンポーネントとして形成されてよい。大腿骨コンポーネントは、内側顆表面及び外側顆表面を有する軸受表面、軸受表面の反対側の裏側表面、並びに裏側表面から遠ざかるように上方向に延びるステムポストを含む。ステムポスト内にはテーパー状穴が形成される。
【０００８】
人工膝コンポーネントは、脛骨トレイに固定され、かつ患者の脛骨の近位端にインプラントされるように構成されたステムアダプタとして形成されてよい。形成されたテーパー状穴はステムアダプタの下端内に形成される。
【０００９】
人工膝コンポーネントは、大腿骨コンポーネントに固定され、かつ患者の大腿骨の遠位端にインプラントされるように構成された大腿骨スリーブコンポーネントとして形成されてよい。大腿骨スリーブコンポーネントの上端内にはテーパー状穴が形成される。
【００１０】
人工膝コンポーネントは、脛骨トレイに固定され、かつ患者の脛骨の近位端にインプラントされるように構成された脛骨スリーブコンポーネントとして形成されてもよい。大腿骨スリーブコンポーネントの下端内にはテーパー状穴が形成される。
【００１１】
第１の複数のステムコンポーネントの各々の、縦溝及び単一スロットの両方の縦軸は上位／下位方向に延びる。
【００１２】
第２の複数のステムコンポーネントの各々の、縦溝及び一対のスロットの各々の両方の縦軸は上位／下位方向に延びる。
【００１３】
別の態様では、インプラント可能な整形外科用人工膝関節アセンブリは、患者の膝関節を形成する長骨の髄内管にインプラントされるように構成された第１及び第２の膝ステムコンポーネントを含む。第１の膝ステムコンポーネントは人工膝コンポーネントのテーパー状穴に単独で収容されるように構成されたテーパー状ポストを含み、第１の膝ステムコンポーネントのテーパー状ポストは第１のポストテーパー角及び第１のポスト直径を有する。第１の膝ステムコンポーネントはテーパー状ポストから遠ざかるように延びて遠位先端で終端する細長いボディも含む。細長いボディ内には遠位先端からテーパー状ポストに向けて延びる多数の縦溝及び単一スロットが形成される。第２の膝ステムコンポーネントは、人工膝コンポーネントのテーパー状穴に単独で収容されるように構成されたテーパー状ポストを含み、第２の膝ステムコンポーネントのテーパー状ポストは第１のポストテーパー角と等しい第２のポストテーパー角、及び第１のポスト直径と等しい第２のポスト直径を有する。第２の膝コンポーネントはまた、テーパー状ポストから遠ざかるように延びて遠位先端で終端する細長いボディも有し、細長いボディ内には遠位先端からテーパー状ポストに向けて延びる多数の縦溝及び一対のスロットが形成される。一対のスロットは互いに垂直に配置される。
【００１４】
第２の膝ステムコンポーネントは第１の膝ステムコンポーネントより長いボディ直径を有してよい。
【００１５】
一実施形態では、第１の膝ステムコンポーネントのテーパー状ポスト及び第２の膝ステムコンポーネントのテーパー状ポストの両方が、脛骨トレイのテーパー状穴に単独で収容されるように構成される。
【００１６】
一実施形態では、第１の膝ステムコンポーネントのテーパー状ポスト及び第２の膝ステムコンポーネントのテーパー状ポストの両方が、大腿骨コンポーネントのテーパー状穴に単独で収容されるように構成される。
【００１７】
一実施形態では、第１の膝ステムコンポーネントのテーパー状ポスト及び第２の膝ステムコンポーネントのテーパー状ポストの両方が、スリーブコンポーネントのテーパー状穴に単独で収容されるように構成される。
【００１８】
一実施形態では、第１の膝ステムコンポーネントのテーパー状ポスト及び第２の膝ステムコンポーネントのテーパー状ポストの両方が、ステムアダプタのテーパー状穴に単独で収容されるように構成される。
【００１９】
第１の膝ステムコンポーネントの、縦溝及び単一スロットの両方の縦軸は上位／下位方向に延びる。
【００２０】
第２の膝ステムコンポーネントの、縦溝及び一対のスロットの各々の両方の縦軸は上位／下位方向に延びる。
【００２１】
別の態様では、インプラント可能な整形外科用人工膝関節アセンブリは、患者の脛骨の近位端にインプラントされるように構成された脛骨トレイを含み、脛骨トレイはプラットフォームの下部表面から下方向に延びるステムポストを備えたプラットフォームを含む。脛骨トレイのステムポスト内にはテーパー状穴が形成される。インプラント可能な整形外科用人工膝関節アセンブリはまた、患者の大腿骨の遠位端にインプラントされるように構成された大腿骨コンポーネントも含み、大腿骨コンポーネントは、内側顆表面及び外側顆表面を有する軸受表面、軸受表面の反対側の裏側表面、並びに裏側表面から遠ざかるように上方向に延びるステムポストを含む。大腿骨コンポーネントのステムポスト内にはテーパー状穴が形成される。インプラント可能な整形外科用人工膝関節アセンブリはまた、第１の複数のステムコンポーネントも含み、その各々は、脛骨トレイのテーパー状穴及び大腿骨コンポーネントのテーパー状穴に単独で収容されるように構成されたテーパー状ポスト、並びにテーパー状ポストから遠ざかるように延びて遠位先端で終端する細長いボディを有する。細長いボディ内には多数の縦溝が形成される。第１の複数のステムコンポーネントの各々は、第１の複数のステムコンポーネントのその他の各々と等しいポストテーパー角及びポスト直径、並びに細長いボディ内に形成され、遠位先端からテーパー状ポストに向けて延びる単一スロットも有する。インプラント可能な整形外科用人工膝関節アセンブリは第２の複数のステムコンポーネントを更に含み、その各々は、脛骨トレイのテーパー状穴及び大腿骨コンポーネントのテーパー状穴に単独で収容されるように構成されたテーパー状ポスト、並びにテーパー状ポストから遠ざかるように延びて遠位先端で終端する細長いボディを有する。細長いボディ内には多数の縦溝が形成される。第２の複数のステムコンポーネントの各々は、第２の複数のステムコンポーネントのその他及び第１の複数のステムコンポーネントの各々と等しいポストテーパー角及びポスト直径、並びに細長いボディ内に形成され、遠位先端からテーパー状ポストに向けて延びる一対のスロットも有する。一対のスロットは互いに垂直に配置されている。
【００２２】
第２の複数のステムコンポーネントは、第１の複数のステムコンポーネントの各々よりも大きなボディ直径を有してよい。
【００２３】
第１の複数のステムコンポーネントの各々の、縦溝及び単一スロットの両方の縦軸は上位／下位方向に延びる。
【００２４】
第２の複数のステムコンポーネントの各々の、縦溝及び一対のスロットの各々の両方の縦軸は上位／下位方向に延びる。
【００２５】
インプラント可能な整形外科用人工膝関節アセンブリはまた、脛骨トレイに固定され、かつ患者の脛骨の近位端にインプラントされるように構成されたステムアダプタも含んでよい。テーパー状穴がステムアダプタの下端内に形成され、第１の複数のステムコンポーネント及び第２の複数のステムコンポーネントの各々のテーパー状ポストはステムアダプタのテーパー状穴に単独で収容されるように構成される。
【００２６】
インプラント可能な整形外科用人工膝関節アセンブリはまた、大腿骨コンポーネントに固定され、かつ患者の大腿骨の遠位端にインプラントされるように構成された大腿骨スリーブコンポーネントも含んでよい。テーパー状穴が大腿骨スリーブコンポーネントの上端内に形成され、第１の複数のステムコンポーネント及び第２の複数のステムコンポーネントの各々のテーパー状ポストは大腿骨スリーブコンポーネントのテーパー状穴に単独で収容されるように構成される。
【００２７】
インプラント可能な整形外科用人工膝関節アセンブリはまた、脛骨トレイに固定され、かつ患者の脛骨の近位端にインプラントされるように構成された脛骨スリーブコンポーネントも含んでよい。テーパー状穴が脛骨スリーブコンポーネントの下端内に形成され、第１の複数のステムコンポーネント及び第２の複数のステムコンポーネントの各々のテーパー状ポストが、脛骨スリーブコンポーネントのテーパー状穴に単独で収容されるように構成される。
【図面の簡単な説明】
【００２８】
発明を実施するための形態においては特に以下の図面を参照する。
【図１】整形外科用人工膝関節の分解斜視図であり、説明を明確にするため、脛骨トレイのステムポストの一部が削除されていることに留意されたい。
【図２】図１の整形外科用人工膝関節の脛骨トレイ及び大腿骨コンポーネントの両方にテーパーロックされたステムコンポーネントを示す斜視図であり、説明を明確にするため、任意のスリーブコンポーネント及びスリーブアダプタの一対が人工膝関節アセンブリから分解図示され、ステムアダプタの一部が削除されていることに留意されたい。
【図３】ボディ直径の異なる多数のステムコンポーネントを示した立面図である。
【図４】図３の線４−４に沿って矢印方向から見た立面図における横断面図である。
【発明を実施するための形態】
【００２９】
本開示の概念には様々な改変及び代替的形態が考えられるが、その特定の代表的な実施形態を図面に例として示し、本明細書において詳細に述べる。ただし、本開示の概念を開示される特定の形態に限定することを何ら意図するものではなく、その逆に、本発明の趣旨並びに範囲に包含される全ての改変物、等価物、及び代替物を網羅することを意図するものであることが理解されるべきである。
【００３０】
解剖学的参照を表す前側、後側、内側、外側、上、下等の用語は、本開示全体にて、本明細書に記載する整形的インプラントと、患者の天然の解剖学的構造との両方に関して使用され得る。これらの用語は、解剖学的構造の研究及び整形外科学の分野のいずれにおいても広く理解された意味を有するものである。明細書及び特許請求の範囲におけるこれらの解剖学的参照用語の使用は、特に言及しない限り、それらの十分理解された意味と一致することが意図される。
【００３１】
図１に整形外科人工膝関節置換術の実施に用いるインプラント可能な人工膝関節１０を示す。人工膝関節１０は、大腿骨コンポーネント１２、脛骨トレイ１４及び軸受１６を含む。図２〜４で分かるように、人工膝関節１０は多数のステムコンポーネント５０も含む。以下で更に詳細に説明するように、多様なサイズのステムコンポーネント５０の各々は、脛骨トレイ１４又は大腿骨コンポーネント１２のいずれかに固定してよい。
【００３２】
脛骨トレイ１４は患者の近位脛骨（図示せず）の外科的に前処理された末端部にインプラントされるように構成される。脛骨トレイ１４は、下部表面２２から遠ざかるように下方向に延びる細長いステムポスト２０を有するプラットフォーム１８を含む。細長い脛骨ステムポスト２０はステムコンポーネント５０を収容するように構成される。具体的には、図１で分かるように、脛骨トレイ１４のステムポスト２０内に、（図２に示す通り）ポスト２４（ひいてはステムコンポーネント５０）と脛骨トレイ１４とを互いにテーパーロックするために、その中にステムコンポーネント５０のうちの１つのテーパー状ポスト２４を前進させてよいテーパー状穴２８が形成される。かくして、続けてステムコンポーネント５０を外科的に前処理された（例えばリーマ仕上げ、又はブローチ仕上げされた）患者の脛骨の髄内管にインプラントすることができる。
【００３３】
軸受１６は、脛骨トレイ１４に固定可能である。特に、軸受１６は、脛骨トレイ１４にスナップ嵌めされ得る。かかる方法では、軸受１６は、脛骨トレイ１４に対して固定される（即ち、前方／後方又は内側／外側方向に回転可能又は移動可能ではない）。しかし、他の実施形態では、脛骨トレイを脛骨トレイ１４に対して回転できるように固定してよい。
【００３４】
軸受１６は、外側軸受表面３０及び内側軸受表面３２を含む。軸受表面３０、３２は、大腿骨コンポーネント１２の外側顆表面３６及び内側顆表面３８とそれぞれ関節をなすように構成される。具体的には、大腿骨コンポーネント１２は、外科的に前処理された患者の大腿骨の遠位端（図示せず）にインプラントされるように構成され、かつ患者の天然の大腿骨顆の構成を模倣するように構成される。したがって、外側顆表面３６及び内側顆表面３８は、自然の大腿骨の関節顆を模倣するような方法で構成されている（例えば、湾曲している）。外側顆表面３６と内側顆表面３８は互いに離間しており、それによって、それらの間に顆間切痕を画定している。
【００３５】
顆表面３６、３８は大腿骨コンポーネント１２の軸受表面４２に形成される。大腿骨コンポーネント１２はまた、反対側の裏側表面４４から遠ざかるように上方向に延びる細長いステムポスト４０も含む。細長い大腿骨ステムポスト４０はステムコンポーネント５０を収容するように構成される。具体的には、図１で分かるように、大腿骨コンポーネント１２内に、（図２に示す通り）ポスト２４（ひいてはステムコンポーネント５０）と大腿骨コンポーネント１２とを互いにテーパーロックするために、その中にステムコンポーネント５０のうちの１つのテーパー状ポスト２４を前進させてよいテーパー状の穴４８が形成される。かくして、続けてステムコンポーネント５０を外科的に前処理された（例えばリーマ仕上げ、又はブローチ仕上げされた）患者の大腿骨の髄内管にインプラントすることができる。
【００３６】
図２に示す通り、人工膝関節１０はまた、大腿骨スリーブコンポーネント７２、脛骨スリーブコンポーネント７４、及びスリーブアダプタ７６などの多数の任意のコンポーネントも含んでよい。患者の大腿骨又は脛骨の骨質が低下している場合、大腿骨コンポーネント１２及び脛骨トレイ１４のそれぞれのインプラントを促進するためにスリーブコンポーネント７２、７４を用いてよい。大腿骨スリーブコンポーネント７２は、大腿骨コンポーネント１２とステムコンポーネント５０との間に配置されるように、大腿骨コンポーネント１２に固定されるよう構成される。特に、大腿骨スリーブコンポーネント７２の下端７８内に、スリーブコンポーネント７２を大腿骨コンポーネント１２にロックするために大腿骨コンポーネントのステムポスト４０の外表面にテーパーロックしてよい穴（図示せず）が形成される。反対側の、大腿骨スリーブコンポーネント７２の上端は、ステムコンポーネント５０を収容するように構成される。具体的には、ポスト２４（ひいてはステムコンポーネント５０）と大腿骨スリーブコンポーネント７２とを互いにテーパーロックするために、その中にステムコンポーネント５０のうちの１つのテーパー状ポスト２４を前進させてよい大腿骨スリーブコンポーネント７２の上端内に、テーパー状穴８０が形成される。
【００３７】
脛骨スリーブコンポーネント７４は同様の方法で形成してよく、その上端内に形成された穴が脛骨トレイ１４のステムポスト２０にテーパーロックされ、反対側の下端内にはテーパー状穴が形成され、ポスト２４（ひいてはステムコンポーネント５０）と脛骨スリーブコンポーネント７４とを互いにテーパーロックするために、その中にステムコンポーネント５０のうちの１つのテーパー状ポスト２４を前進させてよい。
【００３８】
あるいは、図２に示されるように、脛骨スリーブコンポーネント７４はステムアダプタ７６と共に用いてよい。このような実施形態では、ステムアダプタ７６は、ステムコンポーネント５０及び脛骨スリーブコンポーネント７４の両方を脛骨トレイ１４に固定するために用いられる。特に、ステムアダプタ７６は、ステムコンポーネント５０の各々のテーパー状ポスト２４と形状及びサイズが同一のテーパー状ポスト８４を含む。かくして、ポスト８４（ひいてはステムアダプタ７６）と脛骨トレイ１４とを互いにテーパーロックするために、ステムアダプタ７６のテーパー状ポスト８４を脛骨トレイのステムポスト２０内に形成されたテーパー状穴２８内に前進することができる。脛骨スリーブコンポーネント７４を、脛骨トレイ１４とステムコンポーネント５０との間に配置されるように、ステムアダプタ７６に固定されるよう構成する。特に、脛骨スリーブコンポーネント７４内に、その全長を貫いて延び、ひいてはその上端及び下端の両方で開いた穴８６が形成される。スリーブコンポーネント７４とステムアダプタ７６をお互いにテーパーロックするため、脛骨スリーブコンポーネント７４の穴８６を形成するテーパー状側壁がステムアダプタ７６のテーパー状外表面に嵌合するように、脛骨スリーブコンポーネント７４を前進させてステムアダプタ７６を覆ってよい。図２に見られるように、ステムアダプタ７６の下端はステムコンポーネント５０を収容するように構成される。具体的には、ポスト２４（ひいてはステムコンポーネント５０）とステムアダプタ７６とを互いにテーパーロックするために、ステムアダプタ７６の下端内に、その中にステムコンポーネント５０のうちの１つのテーパー状ポスト２４を前進させてよいテーパー状穴９０が形成される。
【００３９】
大腿骨コンポーネント１２、脛骨トレイ１４、ステムコンポーネント５０、及びスリーブコンポーネント７２、７４、並びにステムアダプタ７６などの、天然骨に嵌合する人工膝関節１０のコンポーネントは、インプラント等級の生体適合性金属で構成されてもよいが、他の材料を用いてもよい。そのような金属の例としては、コバルトクロム合金などのコバルト合金を含むコバルト、Ｔｉ６Ａｌ４Ｖ合金などのチタン合金を含むチタン、及びステンレス鋼などが挙げられる。このような金属製コンポーネントは、生体適合性を高めるためにヒドロキシアパタイトなどの表面処理剤で被覆されてもよい。更に、天然骨に嵌合する金属製コンポーネントの表面を、コンポーネントの骨への固定を促進するために非平滑化してもよい。かかる表面は、永久固定のために骨内部成長を推進するように多孔質で被覆され得る。
【００４０】
軸受１６は、軸受１６と大腿骨コンポーネント１２との間の円滑な関節を可能にする、高分子材料等の材料で構成され得る。かかる高分子材料の１つは、超高分子量ポリエチレン（ＵＨＭＷＰＥ）等のポリエチレンである。
【００４１】
図３で分かるように、ステムコンポーネント５０の各々は細長い、一般には円柱状のステムボディ５２を含む。テーパー状ポスト２４は細長いステムボディ５２の近位端に配置される。細長いステムボディ５２はテーパー状ポスト２４から遠位方向に延びて、ステムコンポーネント５０が脛骨トレイ１４に固定されている場合はステムコンポーネント５０の下側表面大部分（inferior-most surface）の形状を定め、あるいはステムコンポーネント５０が大腿骨コンポーネント１２に固定されている場合はステムコンポーネント５０の上側表面大部分（superior-most surface）の形状を定める、丸い遠位先端５４で終端する。
【００４２】
図３で分かるように、多数の細長い縦溝５６が、ステムボディ５２の外部環状表面５８内に形成されている。これも図３で分かるように、縦溝５６の各々の縦軸はステムコンポーネント５０の縦軸と平行しており、ひいては上位／下位方向に配置される。
【００４３】
ステムコンポーネント５０は、所定の患者の骨格要求に適合するため、多数の異なる構成で提供されてよい。特に、ステムコンポーネント５０は患者の骨格に適合するために多様な長さで構成されてよい（例えば、長い大腿骨又は脛骨と併せて用いるための比較的長いステムコンポーネント５０、短い大腿骨又は脛骨と併せて用いるための比較的短いステムなど）。一例示的実施形態では、ステムコンポーネント５０は３種類の異なる長さ（例えば６０ｍｍ、１１０ｍｍ、及び１６０ｍｍ）で提供されてよい。
【００４４】
ステムコンポーネント５０はまた、所定の患者の骨格要求に適合するため、様々なボディ直径で提供されてもよい。所定のステムコンポーネント５０のボディ直径は、ステムコンポーネントのボディ５２（即ちテーパー状ポスト２４又はその遠位先端５４ではない）の円筒形中間部の、ステムコンポーネントの内側／外側断面幅である。一例示的実施形態では、ステムコンポーネント５０は、それぞれ３つの異なる長さ（例えば６０ｍｍ、１１０ｍｍ、及び１６０ｍｍ）を有する８つの異なる直径（例えば１０ｍｍ、１２ｍｍ、１４ｍｍ、１６ｍｍ、１８ｍｍ、２０ｍｍ、２２ｍｍ、及び２４ｍｍ）で提供されてよい。言い換えれば、このような例示的な実施形態では、８つの異なる直径及び３つの異なる長さの、２４の異なるサイズのステムコンポーネント５０が提供されてよい。
【００４５】
同様に、大腿骨コンポーネント１２、脛骨トレイ１４、及びスリーブコンポーネント７２、７４は、所定の患者の骨格要求に適合するよう、多様な異なるサイズにて提供されてよい。しかし、異なるサイズのステムコンポーネント５０の各々は、異なるサイズの大腿骨コンポーネント１２、脛骨トレイ１４、及びスリーブコンポーネント７２、７４、並びにステムアダプタ７６の各々と適合性を持つ。特に、上述したように、脛骨トレイ１２はそのステムポスト２０内にテーパー状穴２８が形成され、大腿骨コンポーネント１２はそのステムポスト４０内にテーパー状穴４８が形成され、大腿骨スリーブコンポーネント７２はその上端内にテーパー状穴８０が形成され、ステムアダプタ７６はその下端内にテーパー状穴９０が形成される。また、幾つかの実施形態では（脛骨スリーブコンポーネント７４がステムアダプタ７６なしで用いられる場合）、脛骨スリーブコンポーネント７４はその下端内にテーパー状穴（図示せず）が形成されてもよい。所定のステムコンポーネント５０のテーパー状ポスト２４は、テーパー状ポスト２４（ひいてはステムコンポーネント５０）と脛骨トレイ１４、大腿骨コンポーネント１２、スリーブコンポーネント７２、７４、又はステムアダプタ７６とを互いにテーパーロックするために、こうしたテーパー状穴２８、４８、８０、９０のいずれの内部に前進させてもよい。異なるサイズの脛骨トレイ１４、異なるサイズの大腿骨コンポーネント１２、異なるサイズのスリーブコンポーネント７２、７４、及びステムアダプタ７６の各々のテーパー状穴２８、４８、８０、９０の外形は同一である。具体的には、テーパー状穴２８、４８、８０、９０の各々は、互いに同じテーパー角及び直径を有する。
【００４６】
同様に、異なるサイズのステムコンポーネント５０の各々のテーパー状ポスト２４の外形は同一である。特に、図３に示されるように、異なるサイズのステムコンポーネント５０の各々のポスト２４は、互いに同じ直径（Ｄ）を有する。図３に示されるように、ステムコンポーネントのポスト２４の各々のテーパー角（θＴ）は、ステムコンポーネント５０のサイズの範囲にわたって同一である。脛骨トレイ１４、大腿骨コンポーネント１４、スリーブコンポーネント７２、７４、及びステムコンポーネント５０のテーパーの形がコンポーネントのサイズの範囲にわたり共通したサイズであるため、異なるサイズのステムコンポーネント５０の各々は、異なるサイズの大腿骨コンポーネント１２の各々、異なるサイズの脛骨トレイ１４の各々、及び異なるサイズのスリーブコンポーネント７２、７４の各々と適合性がある。上述したように、ステムアダプタ７６のテーパー状ポスト８４はステムコンポーネント５０のテーパー状ポスト２４とサイズと形状が同一であり、また、テーパー状穴９０は脛骨トレイ１４のテーパー状穴２８と形状とサイズが同一である。このため、同様に、ステムアダプタ７６は異なるサイズの脛骨トレイ１４の各々及び異なるサイズのステムコンポーネント５０の各々と適合性がある。
【００４７】
図３及び図４に示すように、コンポーネントサイズの範囲にわたって異なるサイズのステムコンポーネントの全てが共通したスロット構造を有する従来の構造とは対称的に、コンポーネントのサイズの範囲にわたるステムコンポーネント５０の幾つかは内部に細長い単一スロット６０が形成され、ステムコンポーネントのその他は内部に細長い一対のスロット６２、６４が形成される。特に、本明細書に記載の例示的実施形態では、直径が最も小さい５つのステムコンポーネント５０（例えば１０ｍｍ、１２ｍｍ、１４ｍｍ、１６ｍｍ、及び１８ｍｍ）は単一スロット６０を有し、直径が最も大きなステムコンポーネント５０（例えば２０ｍｍ、２２ｍｍ、及び２４ｍｍ）は内部に一対の細長いスロット６２、６４が形成される。
【００４８】
図４で分かるように、内部に２つのスロットが形成されたステムコンポーネント５０では、スロット６２、６４は互いに対して垂直配置となるように配置される。言い換えれば、スロット６２、６４を有するステムボディ５２の一部分の内側／外側断面（例えば図４の例示的断面図）を見ると、スロット６２はステムボディ５２を４つの均等な断面に分割するようにスロット６４に垂直に延びている。
【００４９】
図３及び図４で分かるように、ステムコンポーネント５０の細長いスロット６０、６２、６４の各々の縦軸は縦溝５６の各々の縦軸と平行しており、ひいてはステムコンポーネント５０自体の縦軸とも平行している。スロット６０、６２、６４の遠位端６６の形状は遠位先端５４で定められる（即ち、遠位先端５４に開いている）。スロット６０、６２、６４はその遠位端６６からテーパー状ポスト２４の方向に延びて、ステムボディ５２のテーパー状ポスト２４と遠位端６６との中間の位置で終端する。かくして、スロット６０、６２、６４は弓状の片持ちフランジ６８を形成する。図４で分かるように、ステムコンポーネント５０が単一スロット６０のみ備える場合はこうした片持ちフランジ６８がステムボディ５２内に２つ形成され、一方で、一対のスロット６２、６４が内部に形成されたステムコンポーネント５０内にはこうした片持ちフランジ６８が４つ形成される。単一スロット６０だけを有するステムコンポーネント５０内に形成された２つの片持ちフランジ６８のサイズが等しくなるように、スロット６０はステムボディ５２の中央に位置する。同様に、スロット６２、６４はステムボディ５２の中央に位置し、上述したように互いに対して垂直配置となるように配置される。このため、同様に、一対のスロット６２、６４を有するステムコンポーネント５０内に形成された４つの片持ちフランジ６８のサイズは等しい。
【００５０】
上述したように、ステムコンポーネント５０はそのサイズの範囲にわたり一定のポスト直径（Ｄ）及びポストテーパー角（θＴ）を有しているが、ステムボディ５２内に形成された細長いスロットの数は、幾つかのステムコンポーネント５０が単一スロット６０を有し、その他のものが互いに垂直に配置された一対のスロット６２、６４を有するそのサイズの範囲にわたって変化する。その結果、サイズの範囲にわたって、とりわけ、ステムの片持ちフランジ６８の正味閉め力、最大主応力、縦溝嵌合領域、スロット幅、及びスロット直径などのパラメータを平衡させる、改良されたステムコンポーネントセットが提供される。
【００５１】
更に、本明細書ではステムコンポーネント５０が真直なプレスフィットステムコンポーネントとして説明また図示されているが、弓状でかつオフセットされたプレスフィットステムコンポーネントを含むその他のタイプのプレスフィットステムもまた検討されることを理解されたい。
【００５２】
以上、図面及び上記の説明文において本開示内容を詳細に図示、説明したが、こうした図示、説明はその性質上、例示的なものとみなすべきであって、限定的なものとみなすべきではなく、あくまで例示的実施形態を示し、説明したものにすぎないのであって、本開示の趣旨の範囲に含まれる変更及び改変は全て保護されることが望ましい点は理解されるであろう。
【００５３】
本開示には、ここに述べた装置、システム、及び方法の様々な特徴に基づく複数の利点がある。本開示の装置、システム、及び方法の代替的実施形態は、ここで述べた特徴の全てを含むわけではないが、こうした利点の少なくとも一部から利益を享受するものである。当業者であれば、本発明の１つ以上の特徴を取り入れた、本開示の趣旨及び範囲に包含される装置、システム、及び方法の独自の実施を容易に考案し得るであろう。
【００５４】
〔実施の態様〕
（１）  インプラント可能な整形外科用人工膝関節アセンブリであって、
患者の膝関節を形成する長骨の末端にインプラントされるように構成され、内部にテーパー状穴が形成された人工膝コンポーネント、並びに
第１の複数のステムコンポーネントであって、各々が（ｉ）前記人工膝コンポーネントの前記テーパー状穴に単独で収容されるように構成されたテーパー状ポスト、（ｉｉ）前記テーパー状ポストから遠ざかるように延びて遠位先端で終端し、かつ内部に多数の縦溝が形成された細長いボディ、（ｉｉｉ）前記第１の複数のステムコンポーネントのその他の各々と等しい、ポストテーパー角及びポスト直径、並びに（ｉｖ）前記細長いボディ内に形成され、前記遠位先端から前記テーパー状ポストに向けて延びる単一スロットを有する、第１の複数のステムコンポーネント、並びに
第２の複数のステムコンポーネントであって、各々が、（ｉ）前記人工膝コンポーネントの前記テーパー状穴に単独で収容されるように構成されたテーパー状ポスト、（ｉｉ）前記テーパー状ポストから遠ざかるように延びて遠位先端で終端し、内部に多数の縦溝が形成された細長いボディ、（ｉｉｉ）前記第２の複数のステムコンポーネントのその他及び前記第１の複数のステムコンポーネントの各々と等しい、ポストテーパー角及びポスト直径、並びに（ｉｖ）前記細長いボディ内に形成され、前記遠位先端から前記テーパー状ポストに向けて延び、かつ互いに垂直に配置された一対のスロットを有する、第２の複数のステムコンポーネントを備える、インプラント可能な整形外科用人工膝関節アセンブリ。
（２）  前記第２の複数のステムコンポーネントの各々が、前記第１の複数のステムコンポーネントの各々よりも大きなボディ直径を有する、実施態様１に記載のインプラント可能な整形外科用人工膝関節アセンブリ。
（３）  前記人工膝コンポーネントが、前記患者の脛骨の近位端にインプラントされるように構成された脛骨トレイを含み、
前記脛骨トレイが、プラットフォームを含み、前記プラットフォームが、前記プラットフォームの下面から下方向に延びるステムポストを備え、
前記テーパー状穴が前記ステムポスト内に形成される、実施態様１に記載のインプラント可能な整形外科用人工膝関節アセンブリ。
（４）  前記人工膝コンポーネントが、前記患者の大腿骨の遠位端にインプラントされるように構成された大腿骨コンポーネントを含み、
前記大腿骨コンポーネントが、（ｉ）内側顆表面及び外側顆表面を備える軸受表面、（ｉｉ）前記軸受表面の反対側の裏側表面、並びに（ｉｉｉ）前記裏側表面から遠ざかるように上方向に延びるステムポストを含み、
前記テーパー状穴が前記ステムポスト内に形成される、実施態様１に記載のインプラント可能な整形外科用人工膝関節アセンブリ。
（５）  前記人工膝コンポーネントが、脛骨トレイに固定され、かつ前記患者の脛骨の近位端にインプラントされるように構成されたステムアダプタを備え、
前記テーパー状穴が前記ステムアダプタの下端内に形成される、実施態様１に記載のインプラント可能な整形外科用人工膝関節アセンブリ。
【００５５】
（６）  前記人工膝コンポーネントが、大腿骨コンポーネントに固定され、かつ前記患者の大腿骨の遠位端にインプラントされるように構成された大腿骨スリーブコンポーネントを備え、
前記テーパー状穴が前記大腿骨スリーブコンポーネントの上端内に形成される、実施態様１に記載のインプラント可能な整形外科用人工膝関節アセンブリ。
（７）  前記人工膝コンポーネントが、脛骨トレイに固定され、かつ前記患者の脛骨の近位端にインプラントされるように構成された脛骨スリーブコンポーネントを備え、
前記テーパー状穴が前記脛骨スリーブコンポーネントの下端内に形成される、実施態様１に記載のインプラント可能な整形外科用人工膝関節アセンブリ。
（８）  前記第１の複数のステムコンポーネントの各々の、前記縦溝及び前記単一スロットの両方の縦軸が上位／下位方向に延びる、実施態様１に記載のインプラント可能な整形外科用人工膝関節アセンブリ。
（９）  前記第２の複数のステムコンポーネントの各々の、前記縦溝及び前記一対のスロットの各々の両方の縦軸が上位／下位方向に延びる、実施態様１に記載のインプラント可能な整形外科用人工膝関節アセンブリ。
（１０）  インプラント可能な整形外科用人工膝関節アセンブリであって、
患者の膝関節を形成する長骨の髄内管にインプラントされるように構成された第１の膝ステムコンポーネントであって、（ｉ）人工膝コンポーネントのテーパー状穴に単独で収容されるように構成され、第１のポストテーパー角及び第１のポスト直径を有するテーパー状ポスト、並びに（ｉｉ）前記テーパー状ポストから遠ざかるように延びて遠位先端で終端し、内部に前記遠位先端から前記テーパー状ポストに向けて延びた多数の縦溝及び単一スロットが形成される細長いボディを備える、第１の膝ステムコンポーネント、並びに
前記患者の前記膝関節を形成する前記長骨の前記髄内管にインプラントされるように構成された第２の膝ステムコンポーネントであって、（ｉ）前記人工膝コンポーネントのテーパー状穴に単独で収容されるように構成され、前記第１のポストテーパー角と等しい第２のポストテーパー角及び前記第１のポスト直径と等しい第２のポスト直径を有するテーパー状ポスト、並びに（ｉｉ）前記テーパー状ポストから遠ざかるように延びて遠位先端で終端し、内部に前記遠位先端から前記テーパー状ポストに向けて延びる多数の縦溝及び一対のスロットが形成され、前記一対のスロットが互いに垂直に配置された、細長いボディを備える、第２の膝ステムコンポーネントを備える、インプラント可能な整形外科用人工膝関節アセンブリ。
【００５６】
（１１）  前記第２の膝ステムコンポーネントが前記第１の膝ステムコンポーネントより大きなボディ直径を有する、実施態様１０に記載のインプラント可能な整形外科用人工膝関節アセンブリ。
（１２）  前記第１の膝ステムコンポーネントの前記テーパー状ポスト及び前記第２の膝ステムコンポーネントの前記テーパー状ポストの両方が、脛骨トレイのテーパー状穴に単独で収容されるように構成される、実施態様１０に記載のインプラント可能な整形外科用人工膝関節アセンブリ。
（１３）  前記第１の膝ステムコンポーネントの前記テーパー状ポスト及び前記第２の膝ステムコンポーネントの前記テーパー状ポストの両方が、大腿骨コンポーネントのテーパー状穴に単独で収容されるように構成される、実施態様１０に記載のインプラント可能な整形外科用人工膝関節アセンブリ。
（１４）  前記第１の膝ステムコンポーネントの前記テーパー状ポスト及び前記第２の膝ステムコンポーネントの前記テーパー状ポストの両方が、スリーブコンポーネントのテーパー状穴に単独で収容されるように構成される、実施態様１０に記載のインプラント可能な整形外科用人工膝関節アセンブリ。
（１５）  前記第１の膝ステムコンポーネントの前記テーパー状ポスト及び前記第２の膝ステムコンポーネントの前記テーパー状ポストの両方が、ステムアダプタのテーパー状穴に単独で収容されるように構成される、実施態様１０に記載のインプラント可能な整形外科用人工膝関節アセンブリ。
【００５７】
（１６）  前記第１の膝ステムコンポーネントの前記縦溝及び前記単一スロットの両方の縦軸が上位／下位方向に延びる、実施態様１０に記載のインプラント可能な整形外科用人工膝関節アセンブリ。
（１７）  前記第２の膝ステムコンポーネントの前記縦溝及び前記一対のスロットの各々の両方の縦軸が上位／下位方向に延びる、実施態様１０に記載のインプラント可能な整形外科用人工膝関節アセンブリ。
（１８）  インプラント可能な整形外科用人工膝関節アセンブリであって、
患者の脛骨の近位端にインプラントされるように構成され、プラットフォームを含む脛骨トレイであって、前記プラットフォームが、前記プラットフォームの下面から下方向に延びて内部にテーパー状穴が形成されたステムポストを備える、脛骨トレイ、
前記患者の大腿骨の遠位端にインプラントされるように構成された大腿骨コンポーネントであって、（ｉ）内側顆表面及び外側顆表面を有する軸受表面、（ｉｉ）前記軸受表面の反対側の裏側表面、及び（ｉｉｉ）前記裏側表面から遠ざかるように上方向に延びて内部にテーパー状穴が形成されたステムポストを含む、大腿骨コンポーネント、
第１の複数のステムコンポーネントであって、各々が（ｉ）前記脛骨トレイの前記テーパー状穴及び前記大腿骨コンポーネントの前記テーパー状穴に単独で収容されるように構成されたテーパー状ポスト、（ｉｉ）前記テーパー状ポストから遠ざかるように延びて遠位先端で終端し、かつ内部に多数の縦溝が形成される細長いボディ、（ｉｉｉ）前記第１の複数のステムコンポーネントのその他の各々と等しい、ポストテーパー角及びポスト直径、並びに（ｉｖ）前記細長いボディ内に形成され、前記遠位先端から前記テーパー状ポストに向けて延びる単一スロットを有する、第１の複数のステムコンポーネント、並びに
第２の複数のステムコンポーネントであって、各々が（ｉ）前記脛骨トレイの前記テーパー状穴及び前記大腿骨コンポーネントの前記テーパー状穴に単独で収容されるように構成されたテーパー状ポスト、（ｉｉ）前記テーパー状ポストから遠ざかるように延びて遠位先端で終端し、かつ内部に多数の縦溝が形成される細長いボディ、（ｉｉｉ）前記第２の複数のステムコンポーネントのその他及び前記第１の複数のステムコンポーネントの各々と等しい、ポストテーパー角及びポスト直径、並びに（ｉｖ）前記細長いボディ内に形成され、前記遠位先端から前記テーパー状ポストに向けて延び、かつ互いに垂直に配置された一対のスロットを有する、第２の複数のステムコンポーネントを含む、インプラント可能な整形外科用人工膝関節アセンブリ。
（１９）  前記第２の複数のステムコンポーネントの各々が、前記第１の複数のステムコンポーネントの各々よりも大きなボディ直径を有する、実施態様１８に記載のインプラント可能な整形外科用人工膝関節アセンブリ。
（２０）  前記第１の複数のステムコンポーネントの各々の前記縦溝及び前記単一スロットの両方の縦軸が上位／下位方向に延びる、実施態様１８に記載のインプラント可能な整形外科用人工膝関節アセンブリ。
【００５８】
（２１）  前記第２の複数のステムコンポーネントの各々の、前記縦溝及び前記一対のスロットの各々の両方の縦軸が上位／下位方向に延びる、実施態様１８に記載のインプラント可能な整形外科用人工膝関節アセンブリ。
（２２）  前記脛骨トレイに固定され、かつ前記患者の前記脛骨の前記近位端にインプラントされるように構成されたステムアダプタを更に含み、
前記ステムアダプタの下端内にテーパー状穴が形成され、
前記第１の複数のステムコンポーネント及び前記第２の複数のステムコンポーネントの各々の前記テーパー状ポストが前記ステムアダプタの前記テーパー状穴に単独で収容されるように構成される、実施態様１８に記載のインプラント可能な整形外科用人工膝関節アセンブリ。
（２３）  前記大腿骨コンポーネントに固定され、かつ前記患者の前記大腿骨の前記遠位端にインプラントされるように構成された大腿骨スリーブコンポーネントを更に含み、
テーパー状穴が前記大腿骨スリーブコンポーネントの上端内に形成され、
前記第１の複数のステムコンポーネント及び前記第２の複数のステムコンポーネントの各々の前記テーパー状ポストが、前記大腿骨スリーブコンポーネントの前記テーパー状穴に単独で収容されるように構成される、実施態様１８に記載のインプラント可能な整形外科用人工膝関節アセンブリ。
（２４）  前記脛骨トレイに固定され、かつ前記患者の前記脛骨の前記近位端にインプラントされるように構成された脛骨スリーブコンポーネントを更に含み、
テーパー状穴が前記脛骨スリーブコンポーネントの下端内に形成され、
前記第１の複数のステムコンポーネント及び前記第２の複数のステムコンポーネントの各々の前記テーパー状ポストが、前記脛骨スリーブコンポーネントの前記テーパー状穴に単独で収容されるように構成される、実施態様１８に記載のインプラント可能な整形外科用人工膝関節アセンブリ。
【図１】
2014176692.tif 000003
【図２】
2014176692.tif 000004
【図３】
2014176692.tif 000005
【図４】
2014176692.tif 000006
【外国語明細書】
2014176692000001.pdf